(57)【要約】【課題】  本発明は、消去ローラ表面を常にきれいに保つことにより、良好な消去品質を備えたプリント装置を提供しようとするものである。【解決手段】本発明は上記課題を解決するために、消去ローラホルダの壁板に弾性体を取り付け、フェルトを取り付けたフェルトフォルダを消去ローラ方向に付勢させた。これにより、消去ローラ表面を常にきれいに保ち、良好な消去品質を備えたプリント装置を提供し、また、前記フェルトを容易に脱着可能にしたプリント装置である。【選択図】図３
2005297442.tif 000002
【特許請求の範囲】
【請求項１】
感熱紙を搬送する搬送機構と、前記搬送機構によって搬送される感熱紙にドット単位の画像を印刷するサーマルヘッドと、前記搬送機構によって搬送される感熱紙上の画像を加熱消去する消去ローラと、前記消去ローラに当接する着脱可能なクリーニング部材と、を備えたプリント装置。
【請求項２】
前記消去ローラの搬送方向上流側である背面および感熱紙当接部の反対側である上面を覆う壁板と、前記背面壁のローラ側に設けられた弾性体と、前記上面壁に前記消去ローラの軸に平行に形成されたスリットとを有する消去ローラホルダを備え、
前記クリーニング部材は、前記スリットから差し込まれ、前記弾性体によって前記消去ローラ方向に付勢されている請求項1に記載のプリント装置。
【発明の詳細な説明】
【背景技術】
【０００１】
従来、プリント装置では、使用済み印刷物はそのまま廃棄処理されていた。しかし、紙資源の消費の観点からいえば、膨大な紙資源を浪費するという問題がある。また、使用済みの印刷用紙を回収し再生利用すると、再生利用するために膨大な再生エネルギーを必要とするという問題があった。
【０００２】
そこで、書換え可能な感熱シートを用い、この感熱シートを再利用するようにした電送受信印刷システムが提案されている。（例えば、特許文献1）
特許文献１の装置では、用紙搬送路上にサーマルヘッドとともに、感熱紙を加熱して画像を消去する消去ローラを配置した構造になっている。このプリント装置では、感熱紙の印刷は印字ヘッドにより行われ、画像の消去は消去ローラにより行われる。画像が印刷された利用済みの用紙を用紙トレイにセットすれば、このプリント装置は次の印刷のときに、前の画像を消去ローラで消去した後、印字ヘッドで感熱紙に今回の画像を印刷する。
【特許文献１】特開2002-331697公報
【発明の開示】
【発明が解決しようとする課題】
【０００３】
確かに、 印刷部分を消去できるプリント装置は、紙資源の消費の観点からも有益である。
【０００４】
しかし、感熱紙の印刷部分を消去する際、使用済みの用紙に付着していたゴミ、埃等が消去ローラに付着することがあり、消去ローラ表面にゴミ、埃等の異物が付着していると安定した消去品質が得られないという問題がある。
【０００５】
本発明は、消去ローラ表面を常にきれいに保つことにより、良好な消去品質を備えたプリント装置を提供しようとするものである。
【課題を解決するための手段】
【０００６】
この発明は、感熱紙を搬送する搬送機構と、前記搬送機構によって搬送される感熱紙にドット単位の画像を印刷するサーマルヘッドと、前記搬送機構によって搬送される感熱紙上の画像を加熱消去する消去ローラと、前記消去ローラに当接する着脱可能なクリーニング部材と、を備えたことを特徴とする。
【０００７】
又、前記消去ローラの給紙側である背面、排紙側である前面および感熱紙当接部の反対側である上面を覆う壁板を有し、前記背面壁のローラ側に設けられた弾性体と、前記上面壁に前記消去ローラの軸に平行に形成されたスリットとを備え、前記クリーニング部材は、前記スリットから差し込まれ、前記弾性体によって前記消去ローラ方向に付勢されていることを特徴とする。
【発明の効果】
【０００８】
この発明では、消去ローラ表面に取り付けられた清掃用のフェルトを常に圧着することにより、前記消去ローラが駆動する際、該フェルト表面を前記消去ローラが摺動する。それにより、前記消去ローラ表面に付着したゴミ、埃等の異物を取り除き、前記消去ローラ表面を常にきれいに保つ。すなわち、安定した消去品質を保つことができるという効果がある。
【０００９】
又、消去ローラホルダ壁板（フェルト上側）にはスリットが形成され、フェルトホルダを付勢させるために消去ローラホルダ給紙側の壁板に弾性体を取り付けられている。このことにより、消去ローラ表面の清掃用フェルトを工具を必要とせず簡単に交換ができるという効果がある。
【発明を実施するための最良の形態】
【００１０】
図面を参照して本発明の実施の形態であるプリント装置について説明する。
【００１１】
図１は同プリント装置の外観図、図２は同プリント装置の開口状態を示す図である。
【００１２】
このプリント装置は、印字ヘッドであるサーマルヘッドを備え、受信した画像を感熱紙に印刷するものである。また、このプリント装置は消去ローラを備え、一度印刷した感熱紙の画像を消去して再利用ができるようにしている。なお、消去による再利用は専用のシートを用いて行う。
【００１３】
図１において、プリント装置１は、用紙をセットする用紙トレイ２をプリント装置上部背面に有しており、消去ローラ３７、サーマルヘッド４３が配置されている揺動部２１及び用紙ガイド５３等を収納している匡体を上面から開口するトップカバー３をプリント装置上部に有している。更に、排出された用紙を積載する排出トレイ５がプリント装置下部前面に設けられている。
【００１４】
装置上面右側には操作パネル４が設けられており、操作パネル４の操作（印刷、消去操作等の選択）により、給紙トレイ２にセットされた感熱紙が自動給紙され、印刷、または画像の消去が行われ、排出トレイ５に積載される。
次に、トップカバー３を開口させた状態について説明する。
【００１５】
図２は、トップカバー３を開口させ、揺動部２１が跳ね上げられた状態を示している。前記揺動部２１下面の上流側（装置背面側）に消去ローラ３７、下流側（装置前面側）にサーマルヘッド４３が配置されている。
【００１６】
前記揺動部２１の下面に対向する位置には用紙ガイド５３が設けられており、揺動部２１の下面と用紙ガイド５３の上面で用紙搬送路２２が形成される。
【００１７】
印刷を行う場合、トップカバー３及び揺動部２１が閉じられた状態で、給紙ローラ３１（図３参照）が、用紙トレイ２から用紙搬送路２２に用紙を給紙する。
【００１８】
前記用紙は、用紙搬送路２２を上流から下流へ、すなわち用紙トレイ２から排紙トレイ５方向に向けて搬送されてゆく。このときサーマルヘッド４３により、画像の印刷が行われる。また、この用紙が使用済のシートの場合には、サーマルヘッド４３より上流側に設置されている消去ローラ３７によってこの画像が消去される。
【００１９】
また、用紙が用紙搬送路２２上で詰まった場合には、トップカバー３を開口させて揺動部２１を跳ね上げると、用紙搬送路２２が開放され、詰まった用紙を取り出すことができる。
【００２０】
図３は、前記揺動部２１を含むプリント装置内部の平面図（A）及び側面図（B）を示している。
【００２１】
図３において、揺動部２１の下面に沿って、プリント装置は、給紙側である装置の背面方向（同図右方向）から排紙側である前面方向（同図左方向）にわたって用紙ガイド５３が設けられており、この用紙ガイド５３の上面を用紙が搬送される。すなわち、揺動部２１と用紙ガイド５３の間が用紙搬送路２２となる。（図3（B）側面図）
この用紙ガイド５３に沿って、給紙側から排紙側に向けて、給紙トレイ２、給紙ローラ３１,アンテナ３２,消去処理部５１,印字処理部５２、が順次設けられている。給紙トレイ２には、用紙がセットされる。
【００２２】
給紙ローラ３１は、用紙を繰り出すために配置され、アンテナ３２はＩＣタグつきの感熱紙を認識するため配置されている。
【００２３】
冷却ファン４６は、加熱された消去ローラ３７によって、蓄熱された用紙および用紙ガイドを冷却するために設けられている。前記用紙が蓄熱して所望の発色濃度が得られなくなることを防止するためである。
【００２４】
プリント装置背面側の消去処理部５１は、感熱シート上の画像を加熱消去する消去ローラ３７、消去ローラ３７をカバーする消去ローラホルダ３６、消去ローラ３７と用紙搬送路２２を挟んで対向するプラテンローラ４４、消去ローラホルダ３６の内側に取り付けられている弾性体３３、消去ローラ３７に当接するクリーニング部材であるフェルト３４、消去ローラ３７に並行に配置されフェルト３４を取り付けているフェルトホルダ３５により構成されている。
【００２５】
消去ローラ３７は、ヒータを内蔵しており、動作時にはおおむね１５０〜２００°Ｃに加熱される。
【００２６】
プラテンローラ４４は、図示しない駆動モータによって駆動され回転する。消去ローラ３７は、プラテンローラ４４の回転に従動して回転する。消去ローラ３７およびプラテンローラ４４は、対向部で感熱紙を挟持して搬送する。
【００２７】
消去ローラホルダ３６は、消去ローラ３７の給紙側、排紙側および上面（感熱紙接触部と反対側）に設けられた壁板で構成されている。消去ローラホルダ３６の上面壁板の給紙側には消去ローラ３７に並行にフェルトホルダ３５が嵌挿されるスリット５４が形成されている。
【００２８】
フェルトホルダ３５は、下部のコ字部にフェルト３４が取り付けられ（図５参照）、スリット５４から消去ローラホルダ３６内に差し込まれ、コ字部の外面で弾性体３３に当接する。
【００２９】
一方、ファクシミリ装置前面側の印字処理部５２には、感熱紙に当接し、印字処理を行うサーマルヘッド４３、前記サーマルヘッド４３を取り付けているサーマルヘッドホルダ４２、サーマルヘッド４３と用紙搬送路２２を挟んで対向するプラテンローラ４５、が配置されている。サーマルヘッドホルダ４２はピン４１により支持され揺動部２１に係止されている。この支持されているサーマルヘッドホルダ４２は上方からスプリングで押されサーマルヘッド４３が用紙と当接するよう揺動自在に取り付けられている。
【００３０】
サーマルヘッド４３は、図示されていない制御部から信号が送られてくるデータに基づいてドット単位の画像を印刷する。
【００３１】
プラテンローラ４５は、駆動モータによって回転し、この回転により、用紙を搬送する。
【００３２】
上記構成のうち消去ローラ３７、サーマルヘッドホルダ４２、サーマルヘッド４３、は図２に示す様に揺動部２１に配置され、揺動部２１を跳ね上げたとき一緒に跳ね上がり、用紙搬送路２２を開放できるようにされている。これにより、用紙が詰まった時、揺動部２１を跳ね上げて詰まった用紙を容易に取り出すことができる。
【００３３】
用紙上の画像を消去するための消去ローラ３７は高温（おおむね１５０〜２００°Ｃ）になるため、揺動部２１跳ね上げ時の消去ローラ３７接触による火傷防止のためにカバー３８が消去ローラ３７および消去ローラホルダ３６を覆うように設けられている。
【００３４】
このプリント装置は、用紙上の画像消去、印刷処理を同時に行うことができる。すなわち、プリント装置が印刷データを受信すると、用紙トレイ２にセットされた用紙を給紙ローラ３１により消去ローラ３７に移動する。消去ローラ３７とプラテンローラ４５に用紙が挟持され、画像を消去する。このとき、弾性体３３により消去ローラ３７に常に圧接されているフェルト３４が消去ローラ３７表面に付着したゴミ、埃等の付着物を除去する。これにより、消去ローラ３７の表面が常にきれいに保たれ、良好な消去品質が維持される。 次いで、プラテンローラ４５により用紙をサーマルヘッド４３に移動し、このサーマルヘッド４３により、用紙に印刷が行われる。
【００３５】
図４はフェルトホルダ３５を上方に引き抜いた状態のファクシミリ装置内部の側面図、図５はフェルトホルダ３５の斜視図を示している。
【００３６】
図４において、フェルト３４を消去ローラ３７に当接させている状態では、弾性体３３は消去ローラホルダ３６の壁板（給紙側）に取り付けられている。前記弾性体３３により、消去ローラ３７と消去ローラホルダ３６の間に取り付けられたフェルト３４が付勢されている。フェルトホルダ３４はスリット５４から嵌挿および取り出しが行われる。
【００３７】
図４に示すようにフェルトホルダ３５を交換する際には、上方に引き抜くだけで容易に交換可能である。
【００３８】
図５において、フェルトホルダ３５はコ字部５５（フェルトフォルダ３５下部）と握手５６（フェルトフォルダ３５上部）とからなる。フェルト３４はコ字部５５に取り付けられる。前記フェルト３４は、上部の爪（4箇所）及び下部をコ字部の下辺で挟持される。コ字部５５の上辺に２個のフック５７が下向きに形成され、消去ローラホルダ３６の上壁面のその対向位置にフック穴５８が形成されている。前記フック穴５９はスリット５５の前面方向両端付近に配置されている。
【００３９】
フェルトホルダ５７は、スリット５５より嵌挿され、消去ローラ３７にフェルト３４が当接している状態では、フェルト３５の背面側が弾性体３３により付勢され、フェルト３４は消去ローラ３７と常に圧接している 。この時、フック５７とフック穴５８によりフェルトホルダ３５が抜け落ちないようになっている。
【００４０】
このように、本発明では、消去ローラ３７表面の清掃用フェルト３４を工具を必要とせず簡単に交換できるようにフェルトホルダ３５、フェルト３４、弾性体３３、消去ローラホルダ３６は配置されており、消去ローラ３７表面に付着したゴミ、埃等の異物が除去される。これにより、消去ローラ３７表面は常にきれいに保たれ、良好な消去品質が維持される。
【図面の簡単な説明】
【００４１】
【図１】本発明プリント装置の外観図
【図２】本発明プリント装置の開口状態図
【図３】本発明の実施に係るプリント装置内部の平面図及び側面図
【図４】本発明の実施に係るフェルトホルダの斜視図
【図５】本発明の実施に係るフェルトホルダの引き抜き図
【符号の説明】
【００４２】
１−プリント装置
２−用紙トレイ
３−トップカバー
４−操作パネル
５−排出トレイ
２１−揺動部
２２−用紙搬送路
３１−給紙ローラ
３２−アンテナ 
３３−弾性体
３４−フェルト
３５−フェルトホルダ 
３６−消去ローラホルダ
３７−消去ローラ 
３８−カバー
４１−ピン 
４２−サーマルヘッドホルダ
４３−サーマルヘッド
４４−プラテンローラ
４５−プラテンローラ
４６−冷却ファン
５１−消去処理部
５２−印字処理部
５３−用紙ガイド
５４−スリット
５５−コ字部
５６−握手
５７−フック
５８−フック穴
【図１】
2005297442.tif 000003
【図２】
2005297442.tif 000004
【図３】
2005297442.tif 000005
【図４】
2005297442.tif 000006
【図５】
2005297442.tif 000007